(57)【要約】【課題】遊星ギアを用いた動力分割で、遊星ギアの公転規制のための駆動手段に用いられていたプランジャを廃止し、小型かつ操作性に優れた動力伝達機構を実現する。【解決手段】遊星ギアの公転規制を、カメラ外部（表面）にある複数の操作部材（レリーズボタンや背蓋開きつまみ）で行う構成にし、少なくともどちらか一方の操作で、公転規制（巻き上げ機構への公転制御）の制御を行うようにする。また、外部開閉バリアによって巻き戻し機構への公転制御を行い、バリアが閉まった状態でマニュアルリワインドボタンが操作できるように構成する。【選択図】図１
2004004255.tif 000002
【特許請求の範囲】
【請求項１】
遊星ギア機構と、遊星ギアの公転を規制する規制手段と、前記遊星ギアの公転が規制された位置でこの遊星ギアと噛み合う複数の出力ギアと、個々の前記出力ギアから伝達される回転力を受けて作動する複数の作動機構とを備えた動力伝達機構において、
前記規制手段を動作・非動作状態に制御する制御手段を有し、少なくとも２つの前記外部操作手段のうちいずれか一つの操作に基づいて前記制御が行われることを特徴とする動力伝達機構。
【請求項２】
前記外部操作手段は、少なくともレリーズボタン及びフィルム装填室蓋開きつまみを有し、前記作動機構は巻き上げ機構であることを特徴とする請求項１に記載の動力伝達機構。
【請求項３】
遊星ギア機構と、遊星ギアの公転を規制する規制手段と、前記遊星ギアの公転が規制された位置で遊星ギアと噛み合う複数の出力ギアと、個々の前記出力ギアから伝達される回転力を受けて作動する複数の作動機構を備えた動力伝達機構において、
規制手段を動作・非動作状態に制御する制御手段は、外部操作バリアの開閉操作によって制御され、前記作動機構は自動巻き戻し及び強制巻き戻しを行う巻き戻し機構であることを特徴とする動力伝達機構。
【請求項４】
強制巻き戻しを行うマニュアルリワインドスイッチを有し、前記マニュアルリワインドスイッチは外部操作バリアが閉じたときだけ操作可能であることを特徴とする請求項３に記載の動力伝達機構。
【請求項５】
前記外部操作バリアはスライドバリアであって、前記マニュアルリワインドスイッチは前記スライドバリアが開いたときに、スライドバリアによって覆われる位置に配置されることを特徴とする請求項４に記載の動力伝達機構。
【発明の詳細な説明】
【０００１】
【発明の属する技術分野】
本発明は動力伝達機構に関するものである。詳しくは、遊星ギア機構を用いて複数の作動機構に選択的に切り替えて動力を伝達する機構における、小型化および操作性向上に関するものである。
【０００２】
【従来の技術】
従来、遊星ギア機構を用いて複数の作動機構に選択的に切り替えて動力を伝達する機構が提案されている。これによって、一つの駆動源からの駆動力を複数の作動系に伝達することが出来るので、複数の駆動源を設ける必要がなく、機構の小型化に寄与することができる。
【０００３】
例えば、特許Ｎｏ２８１５２０９（キヤノン）の様に、円周上に配置された出力ギアの内側を、出力ギアに噛み合いながら公転する遊星ギアがあり、その遊星ギアの公転を任意の出力ギアのところで公転規制をかけて公転を止め、噛み合っている出力ギアに動力を伝える様な機構がある。その際、遊星ギアの公転規制機構はプランジャの様な別の駆動手段によって制御されている。
【０００４】
更に、特許Ｎｏ２８５５５８７（キヤノン）では、公転規制機構に用いていたプランジャの様な別駆動手段を用いない機構が提案されている。つまり、遊星ギアの一方向の公転では公転可能に各出力ギアに順次噛み合いながら公転し、出力先を選択する。そして、任意の出力ギアのところで、遊星ギアを逆方向に公転させと、公転規制がかかり、そこで遊星ギアの自転が開始され、動力が出力ギアに伝達されるものである。これによって、プランジャを省略することが出来、コストの削減や、機構全体の小型化に寄与する。
【０００５】
更に、プランジャなどの別駆動機構を用いずに公転規制を行うものに、実公昭６３−４７８６４号がある。これは、プランジャの代わりに背蓋の開閉に連動して公転規制手段の制御を行うものである。実施形態としては、カメラに実施されている機構で、背蓋を開くことによって、巻き戻し機構に繋がっていた遊星ギアを公転させ、巻き戻しギア列を自由に回転出来る様にするものである。
また、カメラに用いられている遊星ギア公転規制手段の制御機構として、巻き戻し操作部材に連動した機構を用いたものがある。これは、巻き戻しを行うために、カメラ表面にある外部操作部材をカメラ使用者が操作すると、それに連動して遊星ギアを巻き戻し機構に繋がる様に公転規制をかけ、その後、巻き戻しの動力を伝達する機構である。これによっても、プランジャなどの別駆動機構を用いずに公転規制の制御を行うことが出来る。
【０００６】
【発明が解決しようとする課題】
しかしながら、特許Ｎｏ２８５５５８７（キヤノン）では、一つの出力ギアに対して、一方向の回転力しか伝達することが出来ない。また、伝達先を変更する毎に遊星ギアを公転差させなければならず、例えば、ズームの繰り出しや繰り込み動作を交互に行う毎に、繰り出し用の出力ギアや繰り込み用の出力ギアに噛み合う様に遊星ギアを公転させなければならない。従って、繰り出しと繰り込みを交互に行うと、その都度、遊星ギアが、公転することになり、動作が非常に遅いものになってしまう。
【０００７】
また、実公昭６３−４７８６４号（ニコン）では、背蓋の開閉といった一つの外部操作で一つの動力伝達系に動力を伝達したり遮断する様に遊星ギアの公転制御を行う構成になっている。しかし、近年のカメラはモーターを用い種々の動作をさせているため、例えば、沈胴式の鏡筒を備えたカメラでは、メインスイッチの操作によって、沈胴位置から撮影準備位置（ワイドポジション）に鏡筒を繰り出す動作と、ズームボタンの操作によって、テレ側に鏡筒を繰り出す動作と言った、異なる外部操作からの制御でありながら、動力の伝達経路および方向が同じものがある。しかし、従来の様な機構を用いると、同じ繰り出し動作でありながら、一方はメインスイッチの操作で遊星ギアが噛み合う出力ギアと、もう一方はズームボタンの操作で遊星ギアが噛み合う出力ギアが必要になり、また、各々の出力ギアに噛み合った状態で遊星ギアが公転するのを規制する為の機構がそれぞれ必要になる。更に、二つの動力伝達経路を設けなければならない。これでは、機構全体が大きくなってしまう。
【０００８】
更に、巻き戻し操作部材に連動して遊星ギアの公転を制御する機構は、強制巻き戻し（マニュアルリワインド）時には有効であるが、フィルムの全撮影駒を撮影した後に行う自動巻き戻し機構に用いることが出来ない。つまり、巻き戻し操作部材が操作されない限りは、遊星ギアが巻き戻しギア列に噛み合うことが出来ないので、結局自動巻き戻しを行うことが出来ない。
【０００９】
本発明はこのような問題点に鑑みなされたもので、複数の外部操作でありながら、伝達経路が同じ場合に、不必要に出力ギアや伝達経路を多くしなくても済む様な動力伝達機構を提案することを第一の目的とする。また、動作が同じ場合であっても、外部操作に連動して動作させる場合や自動で動作させる様な機構にも適用出来る動力伝達機構を提案することを第二の目的とする。
【００１０】
【課題を解決するための手段】
本発明は、上記第１の目的を達成する為に、遊星ギア機構と、遊星ギアの公転を規制する規制手段と、遊星ギアの公転が規制された位置で遊星ギアと噛み合う複数の出力ギアと、個々の前記出力ギアから伝達される回転力を受けて作動する複数の作動機構を備えた動力伝達機構において、規制手段を動作・非動作状態に制御する制御手段は、少なくとも２つの外部操作手段のいずれか一つの操作によって制御される様にし、更に、外部操作手段は、レリーズボタン及びフィルム装填室蓋開きつまみであり、そのとき、動力を伝達する作動機構は巻き上げ機構とする。
【００１１】
また、上記第２の目的を達成する為に、遊星ギア機構と、遊星ギアの公転を規制する規制手段と、遊星ギアの公転が規制された位置で遊星ギアと噛み合う複数の出力ギアと、個々の前記出力ギアから伝達される回転力を受けて作動する複数の作動機構を備えた動力伝達機構において、規制手段を動作・非動作状態に制御する制御手段は、外部操作バリアの開閉操作によって制御され、そのとき、動力を伝達する作動機構は自動巻き戻し及び強制巻き戻しを行う巻き戻し機構とし、強制巻き戻しを行うマニュアルリワインドスイッチが外部操作バリアが閉じたときだけ操作可能とした。更に、外部操作バリアはスライドバリアであり、マニュアルリワインドスイッチはスライドバリアが開いたときに、スライドバリアによって覆われる位置に配置する。
【００１２】
【発明の実施の形態】
（第１実施形態）
図１から図１０を用いて本発明の第１実施形態の説明を行う。本実施形態は本発明をカメラの巻き上げと巻き戻し機構、および、鏡筒の繰り出しと繰り込み機構に用いたものであり、本発明の概念を説明するためにモデル化して示している。これらの図は全て同じ機構を示しており、各部材の機能や役割を説明出来る様に、位置関係がそれぞれ異なる。
【００１３】
先ず、図１において、機構全体の構成を説明する。
駆動源となるモーター１からギアなどを用いた第１の伝達経路２を経由し回転力が伝達され正逆両方に回転する太陽ギア３がある。太陽ギア３には遊星ギア４が噛み合っていて、遊星アーム５によって太陽ギア３の周りを公転可能に保持されている。遊星ギア４の周囲には巻き戻しギア６、ズームギア７、巻き上げギア８があって、遊星ギア４が公転すると、順次噛み合う様に配置されている。巻き戻しギア６からギアなどを用いた第２の伝達経路９を経由し回転力が伝達されフィルムの巻き戻しを行うフォークギア１０がある。そして、ズームギア７からギアなどを用いた第３の伝達経路１１を経由し回転力が伝達され繰り出しおよび繰り込みを行う鏡筒ユニット１２がある。本実施形態は概念図であり詳しい説明は省略するが、鏡筒ユニット１２は従来多く提案されている鏡筒機構のいずれでもよく、回転力を受けて繰り出しおよび繰り込みを行う構造の鏡筒であれば、どの様な構造のものでも良い。更に、巻き上げギア８からギアなどを用いた第４の伝達経路１３を経由し回転力が伝達されフィルムの巻き上げを行うスプール１４がある。ここで、第１から第４までの伝達経路２、９、１１、１３は単なる線でのみ図示されているが、実際はギアなどの動力伝達手段を用いており、本実施形態では、動力が伝達されている場合に実線で図示し、動力が伝わっていない、つまり、フォークギア１０、鏡筒ユニット１２、スプール１４が作動していない状態では破線で示されている。
【００１４】
遊星ギア４を太陽ギア３の回りに公転可能に保持している遊星アーム５は図中、右公転方向において、第１ストッパー１５と、更に左公転方向において、第２ストッパー１６と当接する位置関係にあり、遊星ギア４の公転規制となっている。そして、遊星ギア４が第１ストッパー１５によって右公転規制され、左方向に自転する状態で巻き戻しギア６に巻き戻しの動力を伝達する。更に、遊星ギア４が第２ストッパー１６によって左公転規制され、右方向に自転する状態で巻き上げギア８に巻き上げの動力を伝達する。従って、巻き戻しギア６および巻き戻しギア８はそれぞれ一方向の回転力のみ伝達することになる。ここで、第１ストッパー１５および第２ストッパー１６は不図示のカメラ本体に固定されている。
【００１５】
鏡筒ユニット１２の前面にはカバー１７に対して左右方向にスライド自在に保持されたスライドバリア１８がある。本実施形態は上述した様に概念的な説明図であり、スライドバリア１８の保持方法などの説明は省略するが、カメラ使用者の操作によって左右にスライドし、右方向の閉じ時は鏡筒ユニット１２を前面から覆い、左方向の開き時は鏡筒ユニット１２を露出させ、内部から繰り出し可能にする。また、完全に開いた状態になると、バリアスイッチ１９がそれを検出する構成になっている。さらに、スライドバリア１８が右方向に閉じられた位置にあるときにマニュアルリワインドスイッチ２０がカバー１７から露出する様になっている。つまり、スライドバリア１８が左方向に開いた位置にあるときでは、スライドバリア１８によってマニュアルリワインドスイッチ２０は覆われていて、カメラ使用者が触ることが出来ない。この様な、バリアと操作ボタン配置に関する従来技術としては、特開平９−２８１５７７があり、カメラ不使用時のバリア閉じ時だけ操作するボタンとして巻き戻しボタンなどを配置し、そのボタンが、バリアが閉じたときのみ露出する構成になっている。ここで、本実施形態では、その様な構成を利用し、動力伝達機構の更なる機能向上の提案をするものである。
【００１６】
スライドバリア１８の裏面側のカメラ内部には上下移動可能に保持され圧縮バネ２１によって上方向にバネ付勢された第１移動ストッパー２２がある。第１移動ストッパー２２の上方向の規制は、スライドバリア１８の裏面にある第１カム部１８ａと第２カム部１８ｂによってなされる。つまり、スライドバリア１８が右方向に閉じ時は第２カム部１８ｂによって第１移動ストッパー２２は下方向に移動し、またスライドバリア１８が左方向に開き時は第１カム部１８ａによって上方向に移動する。そして、第１移動ストッパー２２が上方向にあるときは、遊星アーム５と当接する位置関係にあり、遊星ギア４の右公転を規制する様になっている。
【００１７】
カバー１７の表面にはカメラ使用者が操作する、ズームボタン２３、レリーズボタン２４、背蓋開きつまみ２５が配置されている。ズームボタン２３は鏡筒ユニット１２の繰り出しおよび繰り込みのための操作スイッチである。レリーズボタン２４の下側にはストロークに応じて二段階の操作信号を発生させる第１レリーズスイッチ２６および第２レリーズスイッチ２７とが付いていて、それらスイッチと接触することでレリーズボタン２４のストロークを検出するスイッチ基板２８がある。レリーズボタン２４は露光を行うための操作スイッチであるが、従来あるオートフォーカスカメラでは露光の前に被写体までの距離を測定する測距動作を行わなければならない。従って、レリーズボタンが下方にある程度押されると第１レリーズスイッチ２６がオンし測距を開始する、そして、更に押し込まれることによって第２レリーズスイッチ２７がオンし、露光動作に入る。レリーズボタン２４は圧縮バネ３３によって上方向にバネ付勢されているのでレリーズ動作を途中で止めると上方に押し戻され、各スイッチはオフ状態に復帰する。更に、背蓋開きつまみ２５は引っ張りバネ２９で下方にバネ付勢されていて、不図示の背蓋のロックを行っている。カメラ使用者が上方に操作することによって、背蓋のロックを解除し、背蓋を開くことが出来、フィルムの装填や取り出しを行う。以下実施形態の中では背蓋開きつまみ２５は上方に操作することによって背蓋を開く構成で説明を行うが、本発明の機構からすれば、外部操作で動かすことが出来る部材があれば良く、本発明の様にスライド機構でなくても、回転させる機構であってもよい。また、背蓋に限定しなくても、近年考案されているＩＸ２４０フィルムを用いたカメラに用いても良く、カメラ背面が開く背蓋でなくても、カメラ上下面から開くカートリッジ室装填蓋であっても構わない。
【００１８】
レリーズボタン２４または背蓋開きつまみ２５が操作されることによって回転する第２移動ストッパー３０がある。第２移動ストッパー３０は中心軸３０ａで回転可能に保持され、トーションバネ３１によって右回転方向に回転付勢されている。そして、第１腕部３０ｂがレリーズボタン２４の押し部２４ａと当接し、第２腕部３０ｃが背蓋開きつまみ２５の押し部２５ａと当接する位置関係にある。従って、レリーズボタン２４を下方に押し下げるか、背蓋開きつまみ２５を上に押し上げるかのいずれかの操作によって、第２移動ストッパー３０はトーションバネ３１の付勢力に反して左回転する。そのとき、スイッチ３２が第２移動ストッパー３０の回転を検出する様になっている。また、第２移動ストッパー３０にはアーム当接部３０ｄがあって、レリーズボタン２４および背蓋開きつまみ２５のいずれも操作されていない状態、つまり右回転しているときは遊星アーム５と当接する位置関係にあり、遊星ギア４の左公転を規制する様になっている。
【００１９】
遊星アーム５が第１移動ストッパー２２および第２移動ストッパー３０の両方に当接し、遊星ギア４の左右両方向の公転が規制された状態では、遊星ギア４はズームギア７と噛み合う位置関係にある。従って、遊星ギア４の左右両方の自転はそのままズームギア７に伝達される。
【００２０】
以上の構成によって、一つのモーター１からの動力を遊星ギア４を用いて巻き上げ、巻き戻しおよび鏡筒ユニットの繰り出し、繰り込みに伝達させるときの遊星ギアの公転規制の制御方法について説明する。
【００２１】
図１はフィルムが未装填で、かつスライドバリア１８が閉じられ、カメラとしてはオフ状態を示している。図１では遊星ギア４は巻き戻しギア６と噛み合った状態を示しているが、実際はどこにあっても良い。ただし、一通りのシーケンスを辿り、フィルムが取り出された状態は図１の様な位置関係にある。仮に、遊星ギア４が別の公転位相にあったとする場合、スライドバリア１８は閉じられているので、第１移動ストッパー２２は遊星ギア４の公転を規制はしない。従って遊星ギア４は振動などで、ズームギア７と噛み合う位置まで公転する可能性はある。しかし、第２移動ストッパー３０によってそれ以上の左方向の公転は規制され、遊星ギア４は巻き上げギア８と噛み合うことは出来ない。
【００２２】
図２はフィルムを装填するために、カメラ使用者が背蓋開きつまみ２５を上方に押し上げた状態である。背蓋開きつまみ２５を操作することによって、第２移動ストッパー３０が左回転し、スイッチ３２がオフとなり、背蓋開きつまみ２５が操作されたことを検出する。それを受けて、太陽ギア３を左回転させる。この状態では第２移動ストッパー３０は左回転しているので、アーム当接部３０ｄは遊星アーム５とは当たらないので、遊星ギア４は巻き上げギア８と噛み合うことが出来る位相まで公転することが出来る。太陽ギア３をこのまま回転させ続ければ最終的は遊星アーム５は第２ストッパー１６に当たり、遊星ギア４の右方向の自転が巻き上げギア８に伝えられ、スプール１４が回転する。実質的には、スプール１４は多少回転しても支障はないが、図２ではタイマーなどで、その途中で回転を止めた状態を示している。
【００２３】
図３はフィルムが装填される前の待機状態を示している。この状態では背蓋開きつまみ２５は元に戻っているが、第２移動ストッパー３０は遊星アーム５の円周部５ａに当接しているため、図１のときの様な回転位相までは復帰していない。遊星アーム５の円周部５ａは太陽ギア３の回転中心に対して同心円になっているため、図３の状態で遊星アーム５が仮に回転しても、第２移動ストッパー３０を回転させることはなく、円周部５ａとアーム当接部３０ｄとの多少の摩擦力はあるが、遊星ギア４は左右どちらにも公転することが出来る。
【００２４】
図４はフィルムが装填され背蓋が閉じられた状態である。図３の状態から、太陽ギア３を左回転させると、上述した様に、遊星アーム５は第２移動ストッパー３０のアーム当接部３０ｄと擦れながらも左方向に回転し遊星ギア４が巻き上げギア８と噛み合ったところで、第２ストッパー１６と当接し、巻き上げを開始する。この状態はオートローディングと呼ばれる動作状態である。
【００２５】
以上説明した様に、図２〜図４の一連の操作では、外部操作部材である背蓋開きつまみ２５の操作によって、遊星ギア４が巻き上げギア８に噛み合うことが出来る様に、公転規制の制御を行っている。これは、「背蓋を開く」と言う操作が引き続き巻き上げ（オートローディング）動作を伴うことを利用した機構である。
【００２６】
図５はカメラ使用者によってスライドバリア１８が開き、バリアスイッチ１９がオンした状態である。これを受けて、太陽ギア３を右方向に回転させる。すると、遊星アーム５の円周部５ａが第２移動ストッパーのアーム当接部３０ｄと擦れながら、遊星ギア４が右公転する。このとき、スライドバリア１８の動きに連動して、第１移動ストッパー２２が上方に移動しているので、遊星ギア４の右公転は、ズームギア７と噛み合った位置で公転が規制される。すると、同時に第２移動ストッパー３０も遊星アーム５の円周部５ａから外れ、右回転するので、アーム当接部３０ｄが遊星アーム５の左公転を規制する様になる。そのとき、第２移動ストッパー３０が右回転したことはスイッチ３０によって検出することが出来る。この状態では、遊星ギア４は左右どちらの公転も規制されていることになり、ズームボタン２３の操作によって鏡筒ユニット１２の繰り出しおよび繰り込みの両回転も伝えることが出来る。実際の、繰り出し及び繰り込み回転は、図５に示す様にズームギア７の右回転では繰り込みを行い、左回転では繰り出しを行う様にしておく。そして、遊星ギア４が第２移動ストッパー３０によって左方向の公転規制されたことをスイッチ３２が検出したことを受けて、ズームギア７が左回転する様に、太陽ギア３の回転を右回転から逆転させ、左回転させる。これによって、ズーム動作以外に沈胴動作を行う様なズーム鏡筒では、スライドバリア１８が開かれたことを受けて、先ず鏡筒ユニット１２を繰り出し、ズーム操作可能な位置に鏡筒ユニット１２をセットする。
【００２７】
図６はレリーズボタン２４が押され、第２レリーズスイッチ２７がオンし、露光が行われた状態を示している。レリーズボタン２４が押されると、それに連動して、第２移動ストッパー３０が左回転する。そこで、太陽ギア３を左回転させると、遊星ギア４はズームギア７との噛み合いを外れ、巻き上げギア８と噛み合う位置まで公転することが出来、そのまま巻き上げを行うことが出来る。そして、巻き上げ完了後、太陽ギア３を右回転させ、図５の状態に復帰させる。その際、第２移動ストッパー３０が確実に遊星ギア４の左公転規制位置に復帰出来たことはスイッチ３２によって検出出来る。従って、スイッチ３２がオンしたと同時に、太陽ギア３の右回転を停止すれば、不必要にズームギア７に右回転の動力が伝達されることはなく、鏡筒ユニット１２が繰り込まれることはない。
【００２８】
図７は意地悪操作に対する制御を示している。図５に示すズーム動作中は遊星ギア４は第１移動ストッパー２２および第２移動ストッパー３０両方によって左右両方向の公転規制を受けている。しかし、ズーム動作中にレリーズボタン２４を押すことは容易に考えられる。もし、鏡筒ユニット１２の繰り出し中にレリーズボタン２４が押されると第２移動ストッパー３０が左回転して、遊星ギア４の左公転規制が解除されることになる。すると勝手に巻き上げ動作に移ってしまいフィルムが送られ、結果として撮影画面に抜けが出来ると言った不具合が発生してしまう。そのため、ズーム動作中は常に第１レリーズスイッチ２６またはスイッチ３２の信号を検出し、第２移動ストッパー３０が動いていないか検知しておく。そして、仮に第２移動ストッパー３０が動いた信号が検出された場合はズーム操作によらず、モーター１を停止し、上記の様な不具合が発生するのを防ぐ。
【００２９】
以上説明した様に、図６、図７の一連の操作では、外部操作部材であるレリーズボタン２４の操作によって、遊星ギア４が巻き上げギア８に噛み合うことが出来る様に、公転規制の制御を行っている。
【００３０】
上述した図２〜図７の説明では、図２〜図４では背蓋開きつまみ２５と、図６、図７ではレリーズボタン２４と言った「複数の外部操作部材のどちらかの操作によって、遊星ギア４の公転規制の制御を行っている。」これで、第一の目的を達成している。従って、「巻き上げ」と「オートローディング」といった、結果的に動作は同じであるが、操作部材が異なる遊星公転規制機構に対して、出力ギアや動力伝達経路を多くしなくても済むような機構を実現している。
【００３１】
次に、第二の目的を達成した機構の説明を行う。
【００３２】
図８は巻き戻し動作を行っている状態を示している。「課題」のところで述べた様に、巻き戻しには、自動巻き戻しと強制巻き戻し（マニュアルリワインド）とがある。
【００３３】
先ず自動巻き戻しの場合、全駒撮影終了後、鏡筒ユニット１２を強制的に収納位置まで繰り込んでしまう。これは、全駒撮影を終了したこと、つまりこれ以上撮影出来ないことを警告し、カメラ使用者に認識させることと、鏡筒ユニット１２が収納位置まで繰り込まれたのでスライドバリア１８を閉じ方向に操作する様に暗示することが目的である。カメラ使用者はその暗示に促されてスライドバリア１８を閉じる。すると、第１移動ストッパー２２が下がり、遊星ギア４の右方向公転規制が解除される。そして、スライドバリア１８が閉じたことをバリアスイッチ１９が認識することによって、太陽ギア３を右回転させ遊星ギア４を巻き戻しギア６と噛み合わせ、巻き戻しを行う。
【００３４】
次に、強制巻き戻し（マニュアルリワインド）の場合、自動巻き戻しのときと同じで、動力伝達経路上は、スライドバリア１８が閉じていないと遊星ギア４が巻き戻しギア６と噛み合うことは出来ない。そのため、スライドバリア１８が閉じて初めて操作出来るところにマニュアルリワインドスイッチ２０を配置する。仮に、スライドバリア１８の開閉位置と無関係な場所にマニュアルリワインドスイッチを配置した場合、「強制巻き戻しを行うために、スライドバリア１８を閉じる」、と言った巻き戻しとは無関係な操作をさせて、操作を煩雑なものにさせてしまうが、本実施形態では、無意識の内に一連の操作をカメラ使用者に行わせることが出来る。
【００３５】
以上説明した様に、外部操作によって巻き戻し機構に遊星ギアを切り変える機構を設けた場合に、動作が同じ場合であっても、強制巻き戻しの場合と自動書き戻しの場合の様に異なる状態から動作を開始する両方に適応可能な公転規制の制御を行うことを可能にしている。これによって第二の目的を達成している。
【００３６】
図９はズーム動作や巻き上げ動作を終了し、スライドバリア１８を閉じた状態を示している。ズーム動作終了直後又は巻き上げ終了後、遊星ギア４は図５の様にズームギア７と噛み合ったままになっているので、その状態でスライドバリア１８を閉じれば、遊星ギア４はズームギア７に噛み合ったままのはずである。しかし、スライドバリア１８を閉じることによって、第１移動ストッパー２２が下がり、遊星ギア４の右方向公転規制が解除されるので、振動などで遊星ギア４が勝手に右公転し、ズームギア７との噛み合いが外れ図９の様な状態になることも考えられる。そして、更に、遊星ギア４が右公転すると、図１の様な状態になることも考えられる。
【００３７】
図１０は、図９や図１の状態でスライドバリア１８を開き、鏡筒ユニット１２を繰り出そうとした場合を示している。図１に示しているように、遊星アーム５の円周部５ａは第１移動ストッパー２２に当接可能な位置関係にある。従って、スライドバリア１８を開いて第１カム部１８ａが第１移動ストッパー２２を上に移動可能に逃げても、第１移動ストッパー２２は遊星アームの円周部５ａによって、僅か移動しただけで止まっている。その状態で、太陽ギア３を右回転させると、遊星アーム５は円周部５ａで第１移動ストッパー２２とこすれながら右回転し、遊星ギア４はズームギア７と噛み合った時点、すなわち、遊星アーム５が第２移動ストッパー３０によって遊星ギア４が右公転出来なくなった時点で、ズームギア７に右回転の動力を伝達開始する。ズームギア７の右回転は図５に示しているように、鏡筒ユニット１２の繰り出し方向であるため、鏡筒ユニット１２はそのまま繰り出し、撮影待機状態となる。そのとき、同時に第１移動ストッパー２２は遊星アーム５の円周部５ａとの当接がなくなるため、上方に移動し、遊星ギア４の左方向公転の規制を行う。従って、鏡筒ユニット１２が繰り出すのと同時に、繰り込み方向の駆動も出来る様になる。
（第２実施形態）
図１１，図１２によって、本発明の第２実施形態の説明を行う。本実施形態は第二の目的を達成するための実施形態であり、図８の内容、及び構成を変えたものである。そのため、第１実施形態と同様の第一の目的を達成するための構成は同様であり、説明及び図示を割愛する。図１１はバリアを閉じた状態、図１２はバリアをカメラ使用者が開き、鏡筒ユニット１２が繰り出した状態を示している。また、各図は（ａ）が側面図で、（ｂ）が正面図を示しているが、第１実施形態と同様、概念を説明するためにモデル化して示している。
【００３８】
第１実施形態ではスライドバリア１８の開閉動作によって、内部の遊星ギア４の公転規制を行っていた。本実施形態ではスライドバリアの代わりにドアタイプのバリア（ドアバリア４０）を用いた構成である。つまり、カメラ使用者が直接操作して開閉するバリアであれば、どのような機構のバリアでも、第二の目的を達成出来ることを本実施形態では示している。
【００３９】
ドアバリア４０は下辺に回転軸４０ａを持ち、カメラ本体に回転可能に保持されている。ドアバリア４０の回転軸４０ａ近傍にはスライドスイッチユニット４１がある。このスライドスイッチユニット４１はカメラ本体に対して上下移動可能に保持され、ドアバリア４０の回転軸４０ａにあるギア４０ｂ（ピニオン）とスライドスイッチユニット４１にあるラック４１ａとでラック＆ピニオンのギア結合をしている。そのため、ドアバリア４０が閉じている（図１１）ときには下方に、またドアバリア４０が開いている（図１２）ときには上方に移動する。
【００４０】
スライドスイッチユニット４１にはマニュアルリワインドスイッチ４２がついていて、ドアバリア４０の開閉に連動して、上下する。そして、図１１に示す様に、ドアバリア４０が閉じられているときには、カバー４３に開けた穴４３ａを通して操作可能になっている。また、図１２に示す様に、ドアバリア４０を開くことによって、マニュアルリワインドスイッチ４２はスライドスイッチユニット４１と伴に上方に移動し、カバー４３に開けた穴４３ａからは操作出来なくなる。更に、ドアバリア４０の開閉は、それに連動して上下するスライドスイッチユニット４１の移動位置をバリアスイッチ４４が検出することによって、間接的に検知する。
【００４１】
ドアバリア４０の内側には突起部４０ｃがあって、カバー４３に開けた穴４３ｂを通して第３移動ストッパー４５を光軸方向に押す様になっている。第３移動ストッパー４５はカメラ内部で、光軸方向（図（ｂ）において左右方向）に移動可能に指示されていて、圧縮バネ４６によって、ドアバリア４０側（前方）にバネ付勢されている。そして、バリア当接部４５ａがドアバリア４０の突起部４０ｃと当たることによって、ドアバリア４０が閉じている（図１１）ときには後方に、またドアバリアが開いている（図１２）ときには前方に移動する。第３移動ストッパー４５にはアーム当接部４５ｂがあって、第３移動ストッパー４５が前方にある（図１２）ときには遊星アーム５の右方向の回転を規制し、後方にある（図１１）ときには遊星アーム５には当たらず、遊星ギア４の右方向公転が可能にする。
【００４２】
第１実施形態同様、遊星ギア４の周りには、巻き戻しギア６、ズームギア７、巻き上げギア８が配置されていて、遊星ギア４の回転力を受けて、各々の機構に動力を伝達する。
【００４３】
以上の構成によれば、自動巻き戻しはドアバリア４０をカメラ使用者が閉じることによって、遊星ギア４の右公転の規制が解除され、巻き戻しギア６に動力を伝えることが可能になる。また、マニュアルリワインドは、ドアバリア４０を閉じることによって、マニュアルリワインドスイッチ４２がカバー４３の穴４３ａから露出するので、カメラ使用者がマニュアルリワインドスイッチ４２を操作することによって巻き戻しが行われる。図１２の様にドアバリア４０が開いているときは、遊星ギア４は巻き戻しギア６と噛み合うことは出来ないが、そもそもマニュアルリワインドスイッチ４２を操作することが出来ないので、問題は生じない。
【００４４】
第１実施形態では、スライドバリア１８がマニュアルリワインドスイッチ２０を覆うことによって、操作可能・操作不可能な状態に切り替えているが、本実施形態で説明したように、ドアバリア４０の動きに連動して操作可能・操作不可能な状態に、マニュアルリワインドスイッチ４１を切り替える構成であればどのような構成でも構わない。
【００４５】
【発明の効果】
以上説明したように、本発明によれば、遊星ギアを用いて複数の作動機構に選択的に切り替えて動力を伝達する機構において、遊星ギアの公転規制を行う機構に専用の駆動源（例えばプランジャ）を用いなくても済むと言う大きな効果があり、コストダウンや小型化に効果がある。
【００４６】
更に、外部操作部材の操作によって遊星ギアの公転規制の制御を行う機構において、複数の操作部材の少なくとも一つの操作（例えば、レリーズボタンと背蓋開きつまみ）によって、同一の公転規制（例えば巻き上げ動作への動力伝達）を制御することにより、不必要に出力ギアや動力伝達経路を多く設ける必要がなく、更にコストダウンや小型化に効果がある。
【００４７】
更に、遊星ギアの公転規制が行われ、動力が伝達され動作を行う際に、例えば巻き戻しの様に動作が同じ場合であっても、外部操作に連動して動作させる（強制巻き戻し）場合や自動で動作させる（自動巻き戻し）場合に、遊星ギアの公転規制を外部操作で開閉するバリアに連動して制御するので、どちらの場合もバリアを閉じるといった同一の操作で、公転規制の制御を行うことが出来、操作性が良く、コストダウンや小型化に効果がある。また、バリアを閉じたときのみ、巻き戻しスイッチを操作出来る様にすることによって、より操作性に違和感なく強制巻き戻しを行うことが出来る。
【図面の簡単な説明】
【図１】本発明の第１実施形態である動力伝達機構を示す図。
【図２】本発明の第１実施形態である動力伝達機構を示す図。
【図３】本発明の第１実施形態である動力伝達機構を示す図。
【図４】本発明の第１実施形態である動力伝達機構を示す図。
【図５】本発明の第１実施形態である動力伝達機構を示す図。
【図６】本発明の第１実施形態である動力伝達機構を示す図。
【図７】本発明の第１実施形態である動力伝達機構を示す図。
【図８】本発明の第１実施形態である動力伝達機構を示す図。
【図９】本発明の第１実施形態である動力伝達機構を示す図。
【図１０】本発明の第１実施形態である動力伝達機構を示す図。
【図１１】本発明の第２実施形態である動力伝達機構を示す図。
【図１２】本発明の第２実施形態である動力伝達機構を示す図。
【符号の説明】
１　モーター
２　第１の伝達経路
３　太陽ギア
４　遊星ギア
５　遊星アーム
５ａ　円周部
６　巻き戻しギア
７　ズームギア
８　巻き上げギア
９　第２の伝達経路
１０　フォークギア
１１　第３の伝達経路
１２　鏡筒ユニット
１３　第４の伝達経路
１４　スプール
１５　第１ストッパー
１６　第２ストッパー
１７　カバー
１８　スライドバリア
１８ａ　第１カム部
１８ｂ　第２カム部
１９　バリアスイッチ
２０　マニュアルリワインドスイッチ
２１　圧縮バネ
２２　第１移動ストッパー
２３　ズームボタン
２４　レリーズボタン
２４ａ　押し部
２５ａ　押し部
２５　背蓋開きつまみ
２６　第１レリーズスイッチ
２７　第２レリーズスイッチ
２８　スイッチ基板
２９　引っ張りバネ
３０　第２移動ストッパー
３０ａ　中心軸
３０ｂ　第１腕部
３０ｃ　第２腕部
３０ｄ　アーム当接部
３１　トーションバネ
３２　スイッチ
３３　圧縮バネ
４０　ドアバリア
４０ａ　回転軸
４０ｂ　ギア
４０ｃ　突起部
４１　スライドスイッチユニット
４１ａ　ラック
４２　マニュアルリワインドスイッチ
４３　カバー
４３ａ　穴
４３ｂ　穴
４４　バリアスイッチ
４５　第３移動ストッパー
４５ａ　バリア当接部
４５ｂ　アーム当接部
４６　圧縮バネ
【図１】
2004004255.tif 000003
【図２】
2004004255.tif 000004
【図３】
2004004255.tif 000005
【図４】
2004004255.tif 000006
【図５】
2004004255.tif 000007
【図６】
2004004255.tif 000008
【図７】
2004004255.tif 000009
【図８】
2004004255.tif 000010
【図９】
2004004255.tif 000011
【図１０】
2004004255.tif 000012
【図１１】
2004004255.tif 000013
【図１２】
2004004255.tif 000014